(57)【要約】【課題】流し読み方式によって原稿画像を読み取る装置において、プラテンガラス上の紙紛等の異物を取り除くとともに、正しい白レベルの補正を行い、良好な画像を読み取ることを可能とすることを目的とする。【解決手段】流し読みを行う白色ローラの主走査方向に一定間隔毎に微小穴を設け、読取原稿が無いときに白色ローラを回転させながら、この穴からエアを噴出させ、プラテンガラス上の紙紛等のゴミを吹き飛ばすとともに、白色ローラでの紙間の白レベル補正を行う。また、白レベル補正のときにはローラ円周上のＨＰセンサで、穴の部分をサンプリングしないようにする。【選択図】　　　　図１
2004129139.tif 000002
【特許請求の範囲】
【請求項１】
原稿を露光する露光手段、
露光手段と原稿の間に位置させて原稿を密着させるプラテンガラス、
露光手段に対して原稿を相対的に移動させる原稿搬送手段、
露光手段とプラテンガラスを挟んで対峙する位置にあり、白色の円筒形状で主走査方向全域にわたる幅にわたる大きさを持ち、原稿搬送手段により搬送される原稿をプラテンガラスに密着させる原稿搬送支持手段
原稿搬送手段および原稿搬送支持手段の回転により原稿を移動させながら露光された画像光を読み取る光電変換手段、
原稿が存在しないときに露光手段により原稿搬送支持手段を露光してえられた画像の画像情報を評価することにより、以降の白レベルの補正を行う白レベル補正手段、
を備えた画像読み取り装置において、
原稿搬送支持手段は中空であり、かつ表面に主走査方向に一定間隔に微小穴を設けており、さらにエアを発生させ原稿搬送支持手段の中空部に導き原稿搬送支持手段表面の微小穴よりエアを噴出させるエア発生手段と、を備え、
原稿が存在しないときに、エア発生手段により原稿搬送支持手段を回転させながらエアを微小穴より噴出し、プラテンガラス上の異物を吹き飛ばした後に、白レベル補正手段により白レベルの補正を行うようにしたことを特徴とする画像読み取り装置。
【請求項２】
前記原稿搬送支持手段の円周上に配置され、微小穴の位置を検出するホームポジションセンサを備え、エア発生手段によりエアを発生させるタイミングをホームポジションの情報を基に決定するようにし、さらに白レベル補正手段による白レベル補正時に原稿搬送支持手段を露光してえられる画像の画像情報においてホームポジションの情報を基にして原稿搬送支持手段の円周上の微小穴を画像情報に含め無いようにしたことを特徴とする請求項１の画像読み取り装置。
【発明の詳細な説明】
【０００１】
【発明の属する技術分野】
本発明は、流し読み機能を備えた画像読み取り装置に関するものである。
【０００２】
【従来の技術】
従来、複写機では、プラテンガラスの下方に光学系および読み取りセンサを主走査方向に平行に配置して、原稿がプラテンガラス上を通過するように原稿搬送を行い、原稿がプラテンガラスを通過する際に原稿画像を読み取る、いわゆる流し読み機能を備えた画像読取装置が知られている。このような装置では、搬送される原稿の読取位置となるプラテンガラス上に原稿が接しながら搬送されるように白色の搬送ローラが用いられている。また、搬送される原稿の紙間で長時間光学系を作動させることによる光量変動を補正するために、プラテンガラス上の白色ローラを読み取って、白レベル補正を行う画像読取装置も存在する。
【０００３】
【発明が解決しようとする課題】
しかしながら、このような画像読取装置では搬送される原稿が搬送ローラにより削られ、その紙粉がプラテンガラス上に堆積してしまうことがあった。そのため、搬送原稿とプラテンガラスの間に紙紛が入り込み、読取センサで読み取られた画像では、黒や白のスジ状の画像が出力してしまうという問題があった。
【０００４】
また、このようにプラテンガラス上に紙分が堆積していると、白色ローラの輝度レベルが低下してしまい、白レベル補正も正確に行えずに、画質が低下してしまうという問題もあった。
【０００５】
本発明は、上記従来の問題を解決するもので、流し読み方式によって原稿画像を読み取る装置において、プラテンガラス上の紙紛等の異物を取り除くとともに、正しい白レベルの補正を行い、良好な画像を読み取ることができる原稿読取装置を提供することを目的とする。
【０００６】
【課題を解決するための手段】
前記目的を達成するために、本発明による解決手段は、原稿を露光する露光手段、露光手段と原稿の間に位置させて原稿を密着させるプラテンガラス、露光手段に対して原稿を相対的に移動させる原稿搬送手段、露光手段とプラテンガラスを挟んで対峙する位置にあり、白色の円筒形状で主走査方向全域にわたる幅にわたる大きさを持ち、原稿搬送手段により搬送される原稿をプラテンガラスに密着させる原稿搬送支持手段、原稿搬送手段および原稿搬送支持手段の回転により原稿を移動させながら露光された画像光を読み取る光電変換手段、原稿が存在しないときに露光手段により原稿搬送支持手段を露光してえられた画像の画像情報を評価することにより、以降の白レベルの補正を行う白レベル補正手段、を備えた画像読み取り装置において、原稿搬送支持手段は中空であり、かつ表面に主走査方向に一定間隔に微小穴を設けており、さらにエアを発生させ原稿搬送支持手段の中空部に導き原稿搬送支持手段表面の微小穴よりエアを噴出させるエア発生手段と、を備え、原稿が存在しないときに、エア発生手段により原稿搬送支持手段を回転させながらエアを微小穴より噴出し、プラテンガラス上の異物を吹き飛ばした後に、白レベル補正手段により白レベルの補正を行うようにしたことを特徴とする画像読み取り装置ある。
【０００７】
また、前記原稿搬送支持手段の円周上に配置され、微小穴の位置を検出するホームポジションセンサを備え、エア発生手段によりエアを発生させるタイミングをホームポジションの情報を基に決定するようにし、さらに白レベル補正手段による白レベル補正時に原稿搬送支持手段を露光してえられる画像の画像情報においてホームポジションの情報を基にして原稿搬送支持手段の円周上の微小穴を画像情報に含め無いようにしている。
【０００８】
このようにすることで、流し読み時に発生するプラテンガラス上の紙紛等の異物をエアで吹き飛ばすことにより、取り除くことができ、読取画像への白スジ、黒スジを防ぐとともに、原稿が読取位置に無いときに行う白レベル補正においても、より正確な輝度レベルを得ることが出きるので、良好な画像を読み取ることが可能になる。
【０００９】
【発明の実施の形態】
以下、本発明の実施の形態例を図面に基づいて具体的に説明する。
【００１０】
（実施例）
本実施例の装置は、原稿給送装置（以下、ＡＤＦ）１と原稿読み取り装置（以下、リーダ部）１９によって構成されていて、原稿読み取り装置内の露光部１３と原稿とを相対的に移動させながら読み取ることにより、原稿上の情報を読み取る。
【００１１】
原稿３は原稿トレイ２にセットされる。原稿分離ローラ４は分離パッド５と対になっていて、原稿３を１枚ずつ給送する。給送された原稿３は給紙ローラ対６で更に装置内に送られ、第１搬送ローラ対８により搬送に渡され、プラテンローラ７を回る形で第２搬送ローラ対９による搬送が行われる。搬送される原稿は、流し読み原稿ガラス（プラテンガラス）１２と白色のプラテンローラ７の間を通り、ジャンプ台１８を経て搬送される。流し読み原稿ガラス１２とプラテンローラ７の間ではプラテンローラ７により原稿３は流し読み原稿ガラス１２に接触する形で搬送される。第２搬送ローラ対９により搬送された原稿は原稿排紙ローラ対１０により装置外に排出される。
【００１２】
原稿３は流し読み原稿ガラス１２上を通過する際に、露光部１３により流し読み原稿ガラス１２に接している面を露光される。露光部１３は露光する事により原稿３から反射してくる原稿画像情報をミラーユニット１４に伝達する。伝達された原稿画像情報はレンズ１５を通過し集光されてＣＣＤセンサ部１６にて電気信号として変換される。センサ２０〜センサ２２は原稿搬送の制御において、搬送される原稿の位置を把握するために使用する。
【００１３】
図２は制御部の構成を示すブロック図である。図２において、２０６がＣＰＵ部であり、リーダ部１０２，ＡＤＦ１０１の制御をすべて行っている。ＣＰＵ部２０６には不図示のプログラム格納ＲＯＭ，ワークＲＡＭ等が含まれる。
２０７はモータドライブ部であり、各種モータを駆動させるためのドライバ回路である。２０８は各種センサからの信号をＣＰＵ部２０６に取り込むための、センサ信号入力部である。ＣＰＵ部２０６は、モータドライバ部２０７及びセンサ信号入力部２０８を用いて、リーダ部，ＡＤＦの原稿の搬送制御等を行う。
２０３は画像メモリであり、レンズ１５でＣＣＤ１６上に結像された画像信号はデジタル画像データに変換され、画像処理部２０２で各種の画像処理を行い、画像メモリ部２０３に書き込まれる。
【００１４】
図３は画像処理部２０２の全体構成を示す回路ブロック図であり、増幅回路３０１、Ａ／Ｄ変換器３０２、シェーディング補正回路３０３を有している。ＣＣＤ１６からは、原稿画像を走査する過程で、読み取りの１ラインごとにアナログの画像信号が出力され、それらは増幅回路３０１により増幅された後、Ａ／Ｄ変換器３０２により８ビットのディジタル信号に変換される。そして、シェーディング補正回路３０３は、画像信号に対して、それぞれ黒レベル補正と白レベル補正（シェーディング補正）を行う。その後、画像メモリ部２０３に書き込まれていくことになる。以上の処理を原稿画像領域分行い、原稿の読み取り画像を形成する。
【００１５】
図４は本発明における白色のプラテンローラの構成を示した概略図であり、図５は白色プラテンローラおよびプラテンガラス近傍の断面図である。
【００１６】
図５のように白色プラテンローラ７は中空のローラであり、ローラ表面には図４のように主走査方向に一定間隔でエアーの噴出口である穴４０１が開いている。また、白色プラテンローラ７奥側にはエアーの供給源となるエアコンプレッサー４０２が設置され、エアコンプレッサーからのエア噴出を導くチューブ管４０３により、送風を白色プラテンローラ７内部へ導く。また、噴出口の位置を検知するホームポジションセンサ（ＨＰセンサ）４０４が取り付けられてあり、ＨＰセンサＯＮの区間が噴出口が円周上でＨＰセンサ位置にあることを検知する。これによって、ローラ回転動作において、円周上で噴出口がどこにあるかを検知して、エア噴出および白レベル補正のためのサンプリングを行う。そして、図５において原稿がプラテンガラス１２とプラテンローラ７の間に存在しないときに、エアコンプレッサーを作動させ、プラテンローラを原稿を搬送させる方向と同じ方向（図５のＡ方向）に回転させながらローラ表面の噴出口５０３よりエアーを噴出させ、プラテンガラス１２上の紙紛等を吹き飛ばすような構成を取っている。また、エア噴出口４０１から噴出したエアフロー５０７はエアフロー出口５０５または搬送パス下流方向５０６へ流れることになる。さらに、マイラー５０４によって、エア噴出口４０１から噴出したエアフローが搬送パス上流に流れないようになっており、次原稿に紙紛が付着しないようになっている。
【００１７】
実際に原稿がプラテンガラスとプラテンローラの間に存在しないときに行う白レベル補正の制御フローを図６、図７および図８のフローチャートを用いて説明する。下記のＳ８００〜Ｓ８１２は図８のフローチャートのステップに対応する。
【００１８】
まず読み取りスタートが指示されたかどうかを判断し（Ｓ８００）、スタート指示されたあと、原稿の読み取りを行う（Ｓ８０１）。
【００１９】
そして、図６に示すように、センサ２１などにより、搬送原稿の後端が読み取り位置を通過したかどうか判別する（Ｓ８０２）。原稿後端が読み取り位置を通過したことを検知した後、ホームポジションセンサ（以下，ＨＰセンサ）４０４によってローラ上の噴出口がどこにあるか検知する（Ｓ８０３）。
【００２０】
図６のように原稿後端が読み取り位置を通過したことを検知した後、ＨＰセンサＯＮの立ち上がり（図７のＡ）を検知する（Ｓ８０４）。ＨＰセンサＯＮ立ち上がりに同期してエアコンプレッサーを動作させ、エア噴出し、プラテンガラスの清掃を行う（Ｓ８０５）。この間も、ローラは回転している。エアの噴出は、次のＨＰセンサ立ち上がり（図７のＢ）を検知するまで、つまりローラを一回転させるまで行う。次のＨＰセンサの立ち上がり（図７のＢ）を検知したら（Ｓ８０６）、エアコンプレッサーを停止させエア噴出を停止する（Ｓ８０７）。
【００２１】
次に、図７においてＨＰセンサでエア噴出の終了後のＨＰセンサＯＦＦの立下り（図７のＣ）を検知する（Ｓ８０８）。ＨＰセンサＯＦＦの立下り（図７のＣ）に同期して、白レベル補正のための白色プラテンローラのサンプリングを開始する（Ｓ８０９）。サンプリングは一定区間（例えば、２００ライン）サンプリングしたら（図７のＤ）終了する（Ｓ８１０）。このとき、サンプリングが終了するまでは噴出口が読み取り位置にこないような速度でローラは回転している。
【００２２】
そして、サンプリング終了後、サンプリングされた白色ローラの輝度レベルにより白レベルの補正を行う（Ｓ８１１）。白レベル補正は主走査方向に初期の輝度レベルとサンプリングされた輝度レベルの輝度変動分を初期輝度レベルに近づけるように補正する。その後、最終原稿かどうかを判断し、次の原稿がある場合には、次原稿の読み取りを行う（Ｓ８１２）。最終紙の場合には制御を終了する。
【００２３】
このようにすることで、流し読み時に発生するプラテンガラス上の紙紛をエアーで吹き飛ばすことにより取り除くことができ、読取画像の白スジ、黒スジの発生を防ぐとともに、原稿が読取位置に無いときに行う白レベル補正においても、より正確な輝度レベルを得ることが出き、良好な画像を読み取ることが可能になる。
【００２４】
【発明の効果】
以上説明したように、本発明によれば、流し読み時に発生するプラテンガラス上の紙紛を取り除くことができ、読取画像の白スジ、黒スジの発生を防ぐとともに、原稿が読取位置に無いときに行う白レベル補正においても、より正確な輝度レベルを得ることが出きるので、良好な画像を読み取ることが可能になる。
【図面の簡単な説明】
【図１】本発明の画像読み取り装置が適用された実施形態の構成図である。
【図２】図１に示す画像読取装置の制御部の構成を示すブロック図である。
【図３】図２に示す画像処理部の詳細を示すブロック図である。
【図４】本発明における白色のプラテンローラの構成を示した概略図である。
【図５】図１における白色プラテンローラおよびプラテンガラス近傍の拡大断面図である。
【図６】図１の画像読み取り装置において搬送原稿が読み取り位置を通過したことを説明する図である。
【図７】本発明の白色プラテンローラの回転により、エアの噴出および白レベル補正のためのサンプリングのタイミングを示した図である。
【図８】本発明の制御フローを示したフローチャートである。
【図１】
2004129139.tif 000003
【図２】
2004129139.tif 000004
【図３】
2004129139.tif 000005
【図４】
2004129139.tif 000006
【図５】
2004129139.tif 000007
【図６】
2004129139.tif 000008
【図７】
2004129139.tif 000009
【図８】
2004129139.tif 000010